(57)【特許請求の範囲】
【請求項１】
透明基板と、
前記透明基板の表面側にマトリクス状に配置された複数個の凸レンズ部と、
前記透明基板の裏面に前記各凸レンズ部に対応してマトリクス状に形成された複数の画素部と、
を備え、
前記凸レンズ部のそれぞれが前記画素部よりも前記透明基板から離れた位置に焦点を持たせる計器用文字板であって、
前記透明基板の表面に形成されたスモーククリア印刷層をさらに備え、
前記凸レンズ部は、前記スモーククリア印刷層の表面に配置されるとともに、前記スモーククリア印刷層の表面の凹部を埋めるように当該スモーククリア印刷層上に形成されていることを特徴とする計器用文字板。
【請求項２】
前記凸レンズ部が配置される領域を除く前記スモーククリア印刷層の表面に形成された、少なくとも目盛および文字の形状に形作られた白色印刷層をさらに備える、
ことを特徴とする請求項１記載の計器用文字板。
【請求項３】
前記透明基板の裏面に形成された、前記白色印刷層の対応領域を除く該透明基板の裏面を前記画素部とともに覆う背景色層と、
前記背景色層の裏面に形成された、前記白色印刷層の対応領域を除く該背景色層の裏面を覆う黒色印刷層と、
をさらに備えることを特徴とする請求項２記載の計器用文字板。
【請求項４】
前記透明基板の裏面に形成された、該透明基板の裏面を前記画素部とともに覆う背景色層と、
前記背景色層の裏面に形成された、意匠部を除く前記背景色層の裏面を覆う黒色印刷層と、
前記背景色層の裏面に前記意匠部を埋めるように形成された拡散印刷層と、
をさらに備えることを特徴とする請求項２記載の計器用文字板。
【請求項５】
透明基板と、前記透明基板の表面側にマトリクス状に配置された複数個の凸レンズ部と、前記透明基板の裏面に前記各凸レンズ部に対応してマトリクス状に形成された複数の画素部と、を備え、前記凸レンズ部のそれぞれが前記画素部よりも前記透明基板から離れた位置に焦点を持たせる計器用文字板に前記凸レンズ部を形成する計器用文字板の形成方法であって、
スモーククリア印刷層を前記透明基板の表面に形成し、
液状の凸レンズ形成材料を前記スモーククリア印刷層の表面に滴下して、前記凸レンズ形成材料によって前記スモーククリア印刷層表面の凹部を埋めさせ、
前記凸レンズ形成材料を固化する、
ことを特徴とする計器用文字板の形成方法。
【発明の詳細な説明】
【技術分野】
【０００１】
本発明は、目盛り、数字、文字、シンボルマーク等を、奥行き感のある立体表示パターン上に視認性良く表示する計器用文字板およびその形成方法に関するものである。
【背景技術】
【０００２】
従来から、車両、航空機、船舶等の乗り物やその他各種産業機器には各種情報の測定結果を表示する透光性の文字板付き計器が備え付けられている。この計器の文字板には文字や目盛りなどを円弧状に配置した表示パターンが設けられ、日中には外光により、また夜間にはその文字板の裏面側に配置した光源により、文字板の照明、表示をそれぞれ行っている。ところが、この文字板は平面板であり、これをその表面側から見たとき文字や目盛りの表示態様が単純に平面的であり、デザイン的に斬新性を欠く。
【０００３】
これに対して、文字板上の文字や目盛りなどを奥行き感がある立体的な表示態様で視認可能にした計器が、例えば特許文献１に提案されている。この計器は、車両用計器であるスピードメータとして、車室のインストルメントパネルに配設され、図６に示すように、内部に略円板状の目盛り盤１０ａを有する四角板状の計器板１０を備えている。計器板１０は、透明樹脂材料からなる図７に示すような透明基板１１を備えており、この透明基板１１の表裏面には、各黒色層１２が、目盛り盤１０ａ以外の部分にて、黒色の印刷材料により印刷形成されている。
【０００４】
目盛り盤１０ａは、図６に示すように、計器板１０の略中央に形成されており、この目盛り盤１０ａは、図７に示すように、透明基板１１のうちの目盛り盤１０ａに対する対応部１１ａと、多数の凸レンズ部１１ｂと、多数の画素部１１ｃと、反射層（背景色層）１１ｄとにより構成されている。なお、上述した透明基板１１のうち目盛り盤１０ａに対する対応部１１ａは、以下、目盛り盤対応部１１ａという。目盛り盤１０ａの中心部には図示しない内機の指針軸が貫通し、その先端（上端）に指針２０が取り付けられている。
【０００５】
多数の凸レンズ部１１ｂは、相互に等間隔でもって、透明印刷材料により目盛り盤対応部１１ａの表面にマトリクス状にかつ微小形状に印刷形成されており、これら各凸レンズ部１１ｂは、それぞれ、目盛り盤対応部１１ａの表面から略半球状に隆起している。多数の画素部１１ｃは、相互に等間隔でもって、紫色印刷材料により目盛り盤対応部１１ａの裏面にマトリクス状に、かつ微小形状に印刷形成されており、これら各画素部１１ｃは、目盛り盤対応部１１ａを介し各凸レンズ部１１ｂにそれぞれ対応して位置する。
【０００６】
ここで、各画素部１１ｃは、共に、正方形板状のもので、これら各画素部１１ｃは、図６に点線で示すように、菱形面形状となるように位置しており、これら各画素部１１ｃのうち隣接する画素部１１ｃの間隔は、隣接する凸レンズ部１１ｂの間隔に比べて幾分狭くなっている。
【０００７】
また、各凸レンズ部１１ｂの焦点は、対応の各画素部１１ｃの下方に位置する。このことは、光が下方から目盛り盤１０ａを透過するとき、各凸レンズ部１１ｂは、対応の各画素部１１ｃをその下方側にて拡大虚像として結像させることを意味する。また、多数の凸レンズ部１１ｂのうち図６にて水平方向であって目盛り盤対応部１１ａの半径方向にならぶ各凸レンズ部１１ｂの中心を結ぶ直線に対し、対応の各画素部１１ｃの中心を結ぶ直線が所定微小角度だけ円周方向にずれて位置するように、各画素部１１ｃが、対応の各凸レンズ部１１ｂに対し位置ずれして、目盛り盤対応部１１ａの裏面に形成されている。但し、上記所定微小角度は、目盛り盤１０ａを光が透過するとき、各凸レンズ部１１ｂが対応の各画素部１１ｃとの相対的位置関係でモアレ現象を呈するように設定されている。
【０００８】
反射層１１ｄは、目盛り盤対応部１１ａの裏面の全体に、各画素部１１ｃを覆うように、白色印刷材料により印刷形成されている。なお、この反射層１１ｄは、その裏面側に位置する構成部材を表面側からは見えなくする程度の不透明性を有している。目盛り盤１０ａは、その表面外周部において、当該車両の車速を表す略円弧状表示パターン部１３を備えており、この表示パターン部１３は、複数の短冊状目盛り部１３ａと、複数の文字部１３ｂとにより構成されている。
【０００９】
また、各文字部１３ｂは、目盛り盤対応部１１ａの外周部に対応の各凸レンズ部１１ｂを介し黒色印刷材料により印刷形成されている。
【００１０】
このように構成した実施形態において、目盛り盤対応部１１ａの表面に外来光が入射すると、文字板の正面で看取する人にとって、文字板上の文字や目盛りなどを奥行き感がある立体的な表示態様で視認可能となる。ここで、この光の透過過程について詳細に説明する。各凸レンズ部１１ｂの画素部側焦点は、上述のごとく、対応の各画素部１１ｃの図７に示す下方にそれぞれ位置する。このため、外来光が各凸レンズ部１１ｂに入射し、反射層１１ｄ、各画素部１１ｃ及び目盛り盤対応部１１ａを通り各凸レンズ部１１ｂに再度入射すると、各凸レンズ部１１ｂは、対応の各画素部１１ｃを図７にて示す下方に虚像として拡大結像させる。
【００１１】
また、上述したごとく、図６にて水平方向であって目盛り盤対応部１１ａの半径方向にならぶ各凸レンズ部１１ｂの中心を結ぶ直線と、対応の各画素部１１ｃの中心を結ぶ直線とが、所定微小角度だけ円周方向にずれて位置するように、各画素部１１ｃが、対応の各凸レンズ部１１ｂに対し位置ずれして、目盛り盤対応部１１ａの裏面に形成されている。しかも、所定微小角度は、上述したごとく、各凸レンズ部１１ｂが対応の各画素部１１ｃとの相対的位置関係でモアレ現象を呈するように設定されている。
【００１２】
このため、外来光が各凸レンズ部１１ｂに入射し、反射層１１ｄ、各画素部１１ｃ及び目盛り盤対応部１１ａを通り各凸レンズ部１１ｂに再度入射すると、各画素部１１ｃがモアレ現象のもと虚像として拡大結像される。従って、フロントパネルを通して目盛り盤１０ａを見たとき、各画素部１１ｃが反射層１１ｄを背景としてモアレ現象を伴った拡大虚像として視認される。これにより、従来にない奥行きのある立体的な表示態様でもって斬新な視認性を提供する計器を得ることができる。
【００１３】
また、上述のごとく、各目盛り部１３ａは、凸レンズ部１１ｂを介することなく、目盛り盤対応部１１ａの表面に直接形成されている。従って、各目盛り部１３ａは、各画素部１１ｃの像から浮き上がって見えるので、より一層斬新な表示態様となる。
【先行技術文献】
【特許文献】
【００１４】
【特許文献１】特開２０００−３１０５４６号公報
【発明の概要】
【発明が解決しようとする課題】
【００１５】
上述した従来の計器用文字板は、解決すべき以下の問題を有している。
即ち、透明基板１１の表面は、マトリクス状に配置された複数の凸レンズ部１１ｂ間のスペースＡにおいて、図８に示すように露出し、その表面が外来光に直接晒されている。このため、目盛り盤１０ａを正面から見た場合には、そのスペースＡに臨む透明基板１１の表面に向って入射する外来光のうち、矢印Ｂ方向に入射する外来光は、その透明基板１１の表面で反射し、その反射光が視点Ｃに到達する。この結果、この目盛り盤１０ａをダッシュボード等に配置した自動車を運転する運転者は、その反射光Ｄを文字板表面の光の映り込みとして視認してしまう。そして、この反射光は、各画素部１１ｃがモアレ現象のもと虚像として拡大結像されたもののなかに視認されるため、前述のようにして得られる奥行き感がある画素部１１ｃの立体表示パターンおよび目盛り盤１０ａ上の目盛り部１３ａや文字部１３ｂなどの意匠部の視認性に大きく影響するという不都合がある。なお、入射する外来光のうち凸レンズ部１１ｂに入射する外来光は、この凸レンズ部１１ｂの表面（半球面）で乱反射されるため、視点Ｃへの到達量は少ない。従って、前記立体表示および目盛り部１３ａや文字部１３ｂなどの意匠部の視認性に影響することは殆どない。
【００１６】
本発明は、上述した事情に鑑みてなされたものであり、その目的は、文字板に奥行き感がある画素部の立体表示を可能にするとともに、外来光による文字板表面からの光の映り込みを回避して、文字板上の目盛りや文字、さらにはシンボルマーク等の意匠表示の視認性を高めることができる計器用文字板およびその形成方法を提供することにある。
【課題を解決するための手段】
【００１７】
前述した目的を達成するために、本発明に係る計器用文字板は、下記（１）〜（４）を特徴としている。
（１）  透明基板と、
前記透明基板の表面側にマトリクス状に配置された複数個の凸レンズ部と、
前記透明基板の裏面に前記各凸レンズ部に対応してマトリクス状に形成された複数の画素部と、
を備え、
前記凸レンズ部のそれぞれが前記画素部よりも前記透明基板から離れた位置に焦点を持たせる計器用文字板であって、
前記透明基板の表面に形成されたスモーククリア印刷層をさらに備え、
前記凸レンズ部は、前記スモーククリア印刷層の表面に配置されるとともに、前記スモーククリア印刷層の表面の凹部を埋めるように当該スモーククリア印刷層上に形成されていること。
（２）  上記（１）の構成の計器用文字板であって、
前記凸レンズ部が配置される領域を除く前記スモーククリア印刷層の表面に形成された、少なくとも目盛および文字の形状に形作られた白色印刷層をさらに備える、
こと。
（３）  上記（２）の構成の計器用文字板であって、
前記透明基板の裏面に形成された、前記白色印刷層の対応領域を除く該透明基板の裏面を前記画素部とともに覆う背景色層と、
前記背景色層の裏面に形成された、前記白色印刷層の対応領域を除く該背景色層の裏面を覆う黒色印刷層と、
をさらに備えること。
（４）  上記（２）の構成の計器用文字板であって、
前記透明基板の裏面に形成された、該透明基板の裏面を前記画素部とともに覆う背景色層と、
前記背景色層の裏面に形成された、意匠部を除く前記背景色層の裏面を覆う黒色印刷層と、
前記背景色層の裏面に前記意匠部を埋めるように形成された拡散印刷層と、
をさらに備えること。
【００１８】
上記（１）の構成の計器用文字板によれば、凸レンズ部が配置される領域内のスモーククリア印刷層の表面には、各凸レンズ部がスモーククリア印刷層に対し空気層などの隙間を介さずに密着されている。このため、外来光がレンズ部に入射し前記画素部および透明基板を通して各レンズ部に再度入射すると、各凸レンズ部と各画素部との光学的配置に基づくモアレ現象および凸レンズ部の焦点位置から、凸レンズ部対応の画素部を文字板の裏面方向の焦点に虚像として拡大結像する。これにより奥行き感がある画素部の立体表示パターンが文字板上に表出される。この場合において、凸レンズ部間に露出するスモーククリア印刷層の表面に入射する外来光は、そのスモーククリア印刷層表面の凹凸面で乱反射されるため、そのスモーククリア印刷層表面の光の映り込みを抑えることができる。従って、前記散乱光によっては前記立体表示パターン、目盛りや文字、インジケータや警告灯などのシンボルマークの視認性は阻害されず、これらを文字板上で明瞭に視認することができる。
【００１９】
上記（２）の構成の計器用文字板によれば、文字や目盛りは白色印刷層上にあって外来光を直接受け、反射光を前方に出射するので、その文字や目盛りを文字板表面に明瞭に表出することができる。一方、光源からの光は透明基板、スモーククリア印刷層および白色印刷層を透過して前記文字や目盛りを明るく照明し、文字板の正面で看取する人の視点に明瞭に到達させる。このとき、文字や目盛りが施されていない領域では、各凸レンズ部と各画素部との光学的配置に基づくモアレ現象および凸レンズ部の焦点位置から、奥行き感がある画素部の前記立体表示パターンが同時に看取可能にする。そしてこの立体表示パターンに影響を与えることなく、またその立体表示パターンに影響されずに、前記文字や目盛りの視認性を充分に確保することができる。
【００２０】
上記（３）の構成の計器用文字板によれば、黒色印刷層が設けられない領域では、奥行き感がある画素部の前記立体表示パターンを得るとともに、前記透明基板の裏面側から入射する光が白色印刷層を透過することによって、この白色印刷層上の目盛りや文字を、前記立体表示パターンとは独立して明瞭に表示させることができる。
【００２１】
上記（４）の構成によれば、奥行き感がある画素部の前記立体表示パターンを表出できるとともに、黒色印刷層が設けられない領域を意匠部として、前記拡散印刷層を介して光をその意匠部に透過させることにより、シンボルマークを前記立体表示パターンの中に、明瞭に表出させることができる。
【００２２】
また、本発明に係るを計器用文字板の形成方法は、下記（５）を特徴としている。
（５）  透明基板と、前記透明基板の表面側にマトリクス状に配置された複数個の凸レンズ部と、前記透明基板の裏面に前記各凸レンズ部に対応してマトリクス状に形成された複数の画素部と、を備え、前記凸レンズ部のそれぞれが前記画素部よりも前記透明基板から離れた位置に焦点を持たせる計器用文字板に前記凸レンズ部を形成する計器用文字板の形成方法であって、
スモーククリア印刷層を前記透明基板の表面に形成し、
液状の凸レンズ形成材料を前記スモーククリア印刷層の表面に滴下して、前記凸レンズ形成材料によって前記スモーククリア印刷層表面の凹部を埋めさせ、
前記凸レンズ形成材料を固化する、
こと。
【００２３】
上記（５）の方法によれば、凸レンズ形成材料は液状であるため、スモーククリア印刷層の表面に滴下されると、そのスモーククリア印刷層表面の凹凸面に対して、空気層などの間隙を作ることなく馴染みながら密着していく。このため、レンズ形成材料の固化後はスモーククリア印刷層と一体化され、凸レンズ部とスモーククリア印刷層との境界面での光の反射や損失を低く抑えることができる。従って、外来光がレンズに入射し前記画素部および透明基板を通して各凸レンズ部に再度入射することによって得られる奥行き感がある画素部の前記立体表示パターンの看取が可能になるとともに、凸レンズ部間に露出するスモーククリア印刷層の凹凸面で外来光を乱反射させることによって、散乱光が前記立体表示パターンおよび目盛りや文字、さらにはインジケータや警告灯などの意匠部の視認性を妨げることを確実に回避することができる。
【発明の効果】
【００２４】
本発明によれば、外来光による文字板表面からの光の映り込みを回避して、文字板における奥行き感がある画素部の立体表示のほか、文字板上の目盛りや文字、さらにはシンボルマーク等の意匠表示の視認性を高めることができる。
【００２５】
以上、本発明について簡潔に説明した。更に、以下に説明される発明を実施するためのの形態を添付の図面を参照して通読することにより、本発明の詳細は更に明確化されるであろう。
【図面の簡単な説明】
【００２６】
【図１】本発明の実施形態にかかる計器用文字板を示す正面図である。
【図２】図１における計器用文字板の拡大断面図である。
【図３】図１における凸レンズ部の形成方法を示す説明図である。
【図４】図１における凸レンズ部の詳細な形成手順を示す形成工程図である。
【図５】図１に示す計器用文字板を備えた計器の概略断面図である。
【図６】従来の計器用目盛り盤を示す正面図である。
【図７】図６における計器用目盛り盤の断面図である。
【図８】図６における計器用目盛り盤に対する光の入反射の状態を示す説明図である。
【発明を実施するための形態】
【００２７】
以下、本発明の一実施の形態にかかる計器用文字板を図１乃至図３を参照して説明する。
【００２８】
図１に示す本実施形態の計器用文字板（以下、文字板という）３０は、例えば車両のインストルメントパネルに配置されたエンジン回転計内に設置される。この文字板３０は、目盛り３１ａ、数字３１ｂのほか文字や記号、さらにはインジケータや警告灯などのシンボルマーク３１ｃを円形領域３１内に表示する。
【００２９】
この文字板３０の詳細は、図２に示す通りである。この文字板３０は、透明基板３２と、スモーククリア印刷層３３と、凸レンズ部３４と、画素部３５と、背景色層３６と、黒色印刷層３７と、白色印刷層３８と、拡散印刷層４０と、を備えている。これらのうち、透明基板３２は、ポリカーボネート等の透光性の高い合成樹脂板からなり、円形、楕円形、矩形等の形状をなす。この透明基板３２は滑らかな表面を持ち、この表面にスモーククリア印刷層３３がスクリーン印刷により形成されている。このスモーククリア印刷層３３は滑らかな裏面を持ち、この裏面が透明基板３２の表面に密着されている。
【００３０】
このスモーククリア印刷層３３の表面は、例えば印刷後の粗面加工によって細かな凹凸面に形成され、この凹凸面は後述のような光の乱反射面を構成している。この凹凸面の凹凸形状は、文字板３０に入射する外来光を不規則な方向へ反射させるように所定の角度、深さおよびサイズに形成される。これにより、外来光がスモーククリア印刷層３３の表面に入射した場合、文字板３０の正面を看取する人の視点に到達する光量を抑えることができる。
【００３１】
凸レンズ部３４は、図示のように同一サイズ、形状の半球状レンズであり、スモーククリア印刷層３３の表面に、多数個が所定間隔おきに、つまりマトリクス状に整列配置されている。これらの凸レンズ部３４は、図３に示すように、透明基板３２上に形成されたスモーククリア印刷層３３の表面に対し、液状のレンズ形成材料Ｌを滴下させ、滴下されて半球状となったレンズ形成材料Ｌを乾燥させ、固化させることにより得られる。
【００３２】
図４は、この凸レンズ部３４のスモーククリア印刷層３３への形成手順を示す工程図である。透明基板３２上に形成されたスモーククリア印刷層３３は、図４（ａ）に示すように、表面が細かな凹凸面を持つように加工された粗面Ｋをなし、この粗面Ｋ上に前述のレンズ形成材料Ｌを、図４（ｂ）に示すように滴下させる。滴下されたレンズ形成材料Ｌは、スモーククリア印刷層３３の粗面Ｋ上において、その凸凹部の凹部を埋めるように入り込んで、図４（ｃ）に示すように、スモーククリア印刷層３３との境界面に空隙ができないように、このスモーククリア印刷層３３の表面に塗布される。この塗布された部分では、光学的には前記粗面Ｋが恰も存在しなくなったような形態となる。従って、スモーククリア印刷層３３が透明基板３２と凸レンズ部３４との間に介在されたにも拘らず、外来光が画素部３５、透明基板３２、スモーククリア印刷層３３および凸レンズ部３４を透過し、奥行き感がある画素部３５の立体表示パターンの看取が可能になる。なお、この凸レンズ部３４が形成されない領域、つまりそれぞれの凸レンズ部３４間には、スモーククリア印刷層３３の粗面Ｋが露出状態に保たれている。
【００３３】
また、複数の画素部３５が、透明基板３２の裏面に印刷により形成されている。これらの画素部３５は、各凸レンズ部３４に対応する位置に所定間隔をおいてマトリクス状に配置されている。この場合において、複数の凸レンズ部３４のそれぞれは、これらに対応する各画素部３５に対して僅かに位置がずれるように配置されている。また、各凸レンズ部３４は、各画素部３５よりも遠い位置に焦点を有するものとする。従って、凸レンズ部３４の上方からは、画素部３５を含む立体表示パターンがその焦点に結像される虚像として看取される。
【００３４】
背景色層３６は、画素部３５を覆うように透明基板３２の裏面に印刷により形成され、画素部３５の背景色を文字板３０上に表出している。この背景色層３６は、画素部３５とともに立体表示パターンとして表出される。更に、黒色印刷層３７は、遮光用として背景色層３６の裏面にスクリーン印刷により形成されている。
【００３５】
白色印刷層３８は、スモーククリア印刷層３３の表面であって、凸レンズ部３４が形成されない位置（領域）に白色塗料を塗布または印刷によって形成したものである。この白色塗料は、スモーククリア印刷層３３の表面に形成された前記粗面Ｋの凹面を埋めるように密着される。この白色塗料は、固化した後は粗面Ｋにおいてスモーククリア印刷層と一体化するため、光源３９から透明基板３２を介して後述のように入射される光を、スモーククリア印刷層３３から低損失で白色印刷層３８に入射させることができる。この結果、白色印刷層３８上に印刷された目盛り３１ａ、数字３１ｂ等は、運転者の視点に明瞭に到達することとなる。また、この白色印刷層３８が設けられる部位に対応する透明基板３２の裏面では、画素部３５、背景色層３６および黒色印刷層３７が除去された光導入部Ｈとされ、この光導入部Ｈの後方には前記光源３９が配置されている。
【００３６】
拡散印刷層４０は、黒色印刷層３７の一部を、インジケータや警告灯のためのシンボルマーク３１ｃ形状に切除した意匠部Ｅおよびこの意匠部Ｅ周辺の黒色印刷層３７を裏面から覆うように形成されている。この拡散印刷層４０は、これの裏面側に配置された光源からの光を、背景色層３６、画素部３５、透明基板３２、スモーククリア印刷層３３を通して凸レンズ部３４に透過させるが、凸レンズ部３４の前方から拡散印刷層４０の裏面側にある光源やその付近の構成部材が見えないようにする。前記シンボルマーク３１ｃには、シートベルト装着状態やハンドブレーキ状態などの指示マーク、燃料残量状態やエンジンオイルやブレーキオイルなどのオイル残量状態などの警告灯が含まれる。なお、前述の指示マークや警告等などのシンボルマーク３１ｃとともに、文字、数字、記号などをシンボルマークとして設けることは任意である。意匠部Ｅの照明専用の前記光源４１が、この拡散印刷層４０の後方に、所定距離をおいて設置されている。また、凸レンズ部３４は、意匠部Ｅに対応する部位のスモーククリア印刷層３３上にも設けられている。この意匠部Ｅでは、光源４１からの光が拡散印刷層４０に透過されて散乱状態となり、意匠であるシンボルマーク３１ｃ形状の透過光となって背景色層３６、画素部３５、透明基板３２、スモーククリア印刷層３３および凸レンズ部３４を順に通過する。このため、その透過光は文字板３０の正面側にて特定のシンボルマークとして明瞭に視認される。
【００３７】
図５は、文字板３０を備える計器本体５１の側面断面図である。この計器本体５１は、指針軸５７を持つ内機（モータ）５２が取り付けられた配線基板５３と、この配線基板５３に係止爪部材５４を用いて装着されたケース部５５とを備える。前記内機５２の指針軸５７が貫通する貫通孔３０ａ、５６、５３ａは、文字板３０、ケース部５５および配線基板５３の各中央部に設けられている。指針５８は指針軸５７の先端に取り付けられ、見返し壁５９付きのフロントパネル６０が、この指針５８を覆うように文字板３０の周辺に設けられている。ケース部５５は、係止爪部材５４の外側部を被い、ケース部５５の裏面側周縁には裏カバー６２が嵌合されている。また、ランプハウジング４２、４３を隔成する隔壁４４、４５、４６が、意匠部Ｅの対応部位であって、配線基板５３と文字板３０との間に介在されている。各光源４１は、それぞれランプハウジング４２、４３内に臨む配線基板５３上に取り付けられている。
【００３８】
前記光源３９は、ケース部５５を通して文字板３０上の前記目盛り３１ａや数字３１ｂなどを照射する位置の配線基板５３上に設けられ、別の光源４１は配線基板５３上であって、前記意匠部Ｅに光を照射する位置に、例えば２個設けられている。なお、この計器の文字板３０は、図２に示すものである。
【００３９】
前述の構成を持つ文字板３０では、透明基板３２の表面にマトリクス状に形成された複数の凸レンズ部３４と、その透明基板３２の裏面に前記各凸レンズ部３４に対応してマトリクス状に形成された各画素部３５とが、前記のように僅かづつ位置ずれして設けられている。このため、文字板３０の表面に入射した外来光が凸レンズ部３４に入射し、各画素部３５および透明基板３２を通過して凸レンズ部３４に再度入射すると、各画素部３５がモアレ現象および各凸レンズ部３４の焦点位置との関係から拡大された画素部３５の虚像として、焦点(画素部３５の裏面方向に離れた位置)に結像される。この結果、前記複数の画素部３５は奥行き感がある立体表示パターンとして、文字板３０の正面を見る運転者等に看取させることができる。
【００４０】
このとき、この外来光は各凸レンズ部３４およびこれらの凸レンズ部３４間のスペースＡに露出するスモーククリア印刷層３３の各表面に入射している。各凸レンズ部３４に入射した外来光は、各画素部３５、透明基板３２およびスモーククリア印刷層３３を通過して凸レンズ部３４に再度入射するが、スモーククリア印刷層３３と凸レンズ部３４の間では、スモーククリア印刷層３３の粗面Ｋ上にてその凸凹部の凹部を埋めるように凸レンズ部３４が入り込んでいるため、スモーククリア印刷層３３が透明基板３２と凸レンズ部３４との間に介在されたにも拘らず、外来光が画素部３５、透明基板３２、スモーククリア印刷層３３および凸レンズ部３４を透過し、奥行き感がある画素部３５の立体表示パターンの看取が可能になる。一方、スペースＡに露出するスモーククリア印刷層３３に入射した外来光は、そのスモーククリア印刷層３３の表面が粗面Ｋとなっているため、この粗面Ｋで乱反射する。従って、文字板３０の正面側の視点Ｃに到達する光量は極めて少ない。つまり、文字板３０上への外来光による映り込みが効果的に抑えられ、奥行き感がある前記立体表示パターンの視認性が妨げられことなく、充分に高められる。
【００４１】
また、このように文字板３０上への外来光による映り込みが抑えられることで、白色印刷層３８上に印刷された目盛り３１ａ、数字３１ｂのほか、インジケータや警告灯などのシンボルマーク３１ｃの視認性が高められる。
【００４２】
このように、本実施形態では、凸レンズ部３４とスモーククリア印刷層３３は互いに接する部分で、空気層などの隙間を介さずに密着された結果、外来光が凸レンズ部３４に入射し画素部３５および透明基板３２を通して各凸レンズ部３４に再度入射することによって、奥行き感がある画素部３５の立体的な表示形態を維持できるとともに、凸レンズ部３４間に露出するスモーククリア印刷層３３の表面に入射して乱反射される光が、文字板３０の正面を看取する人の視点に到達する量を抑えることができ、前記立体表示パターン、目盛り３１ａや数字３１ｂ、インジケータや警告灯などのシンボルマーク３１ｃの視認性を高めることができる。
【００４３】
また、目盛り３１ａや数字３１ｂを、凸レンズ部３４が配置される領域を除く部位の前記スモーククリア印刷層３３上の白色印刷層３８の表面に形成したことで、白色印刷層３８上の目盛り３１ａや数字３１ｂを白色印刷層３８に入射する外来光によって明瞭に表示することができる。一方、光源３９からの光は白色印刷層３８を通して目盛り３１ａや数字３１ｂを照明するため、これらを文字板３０から視点Ｃに充分に到達させることができる。一方、白色印刷層３８が施されていない領域では、奥行き感がある画素部３５の前記立体表示パターンが得られる。このように前記立体表示パターンとは区別されて前記目盛り３１ａや数字３１ｂの視認性が充分に確保される。
【００４４】
さらに、透明基板３２の裏面に画素部３５を覆うように背景色層３６を形成し、その背景色層３６を覆うように意匠部Ｅを残して黒色印刷層３７を形成したことにより、黒色印刷層３７が設けられない領域は意匠部Ｅを構成し、前記文字板３０の裏面側の光源４１から入射した光が意匠部Ｅを透過することによって、この意匠部Ｅが作るシンボルマーク３１ｃを、前記画素部３５の立体表示パターンとは独立して文字板３０上に明瞭に表出させることができる。
【００４５】
また、スモーククリア印刷層３３が、少なくとも前記凸レンズ部３４が配置される領域の全体を被うように、透明基板３２の表面に形成され、そのスモーククリア印刷層３３上に液状の凸レンズ形成材料を滴下させることで、その凸レンズ形成材料がその滴下部位で当該スモーククリア印刷層３３表面の凹部を埋めるようにして、前記複数の凸レンズ部３４を形成する。液状の凸レンズ形成材料は、スモーククリア印刷層３３の表面にできた凹面に対して、空気層などの間隙を介在することなく密接状態にて馴染ませることができる。このため、これらの凸レンズ部３４とスモーククリア印刷層３３との境界面での光の反射や損失を少なく抑えることができ、外来光が画素部３５および透明基板３２を通して各凸レンズ部３４に再度入射することによって得られる奥行き感がある画素部３５の前記立体的な表示形態を維持しながら、凸レンズ部３４間に露出するスモーククリア印刷層３３に入射して乱反射される光が看取者の視点に到達するレベルを低く抑えることができる。従って、前記立体表示パターン、目盛り３１ａや数字３１ｂ、文字、記号、さらにはインジケータや警告灯などのシンボルマーク３１ｃの視認性を、外来光の映り込みによって妨げられることを回避することができる。
【符号の説明】
【００４６】
３０  文字板
３１  円形領域
３１ａ  目盛り
３１ｂ  数字
３１ｃ  シンボルマーク
３２  透明基板
３３  スモーククリア印刷層
３４  凸レンズ部
３５  画素部
３６  背景色層
３７  黒色印刷層
３８  白色印刷層
３９、４１  光源
４０  拡散印刷層
５１  計器本体
５２  内機
５３  配線基板
５４  係止爪部材
５５  ケース部
３０ａ、５６  貫通孔
５７  指針軸
５８  指針
５９  見返し壁
６０  フロントパネル
６２  裏カバー
Ａ  スペース
Ｃ  視点
Ｅ  意匠部
Ｈ  光導入部
Ｋ  粗面
【図１】
0005455773.tif 000002
【図２】
0005455773.tif 000003
【図３】
0005455773.tif 000004
【図４】
0005455773.tif 000005
【図５】
0005455773.tif 000006
【図６】
0005455773.tif 000007
【図７】
0005455773.tif 000008
【図８】
0005455773.tif 000009